(57)【要約】【課題】同乗者が居るもとで車両内の無線電話装置において着信状態がとられたとき、車両の運転者が、ハンズフリーでの通話状態、他の通話状態、通話遮断状態等を、課せられる負担の増大をまねくことなくとれるものとする。【解決手段】連結部１３を通じて無線電話装置１１が連結されるとともに同乗者検出部１４及び入力操作部５１が接続され、無線電話装置１１において着信状態がとられたとき、同乗者検出部１４により同乗者の存在が検出されない場合には、無線電話装置１１による通話が車両に設けられた音声入力部及び音声出力部を通じて行なわれるハンズフリー状態となし、同乗者検出部１４により同乗者の存在が検出される場合には、入力操作部５１に対する操作に基づく予めの設定に応じた状態となすハンズフリー制御部５０とを備える。【選択図】        図１
2004350089.tif 000002
【特許請求の範囲】
【請求項１】
車両に設けられ、無線電話装置が連結される連結部と、
上記車両に設けられ、音声入力に応じた入力音声信号を上記連結部を通じて上記無線電話装置に供給すべく送出する音声入力部と、
上記車両に設けられ、上記無声電話装置からの出力音声信号を上記連結部を通じて受け、該出力音声信号に応じた音声出力を発する音声出力部と、
上記車両における運転者以外の同乗者の存在を検出する同乗者検出部と、
上記車両の運転者による操作が行われる入力操作部と、
上記連結部を通じて上記無線電話装置が連結されるとともに上記同乗者検出部及び入力操作部が接続され、上記無線電話装置において着信状態がとられたとき、上記同乗者検出部により同乗者の存在が検出されない場合には、上記無線電話装置による通話が上記車両に設けられた音声入力部及び音声出力部を通じて行なわれるハンズフリー状態となし、上記同乗者検出部により同乗者の存在が検出される場合には、上記入力操作部に対する操作に基づく予めの設定に応じた状態となす制御部と、
を備えて構成される車載送受話装置。
【請求項２】
上記入力操作部に対する操作に基づく予めの設定に応じた状態として、各々が選択的にとられる、上記ハンズフリー状態、及び、上記無線電話装置による通話が上記車両に設けられた音声入力部及び音声出力部を通じることなく行われる状態が含まれることを特徴とする請求項１記載の車載送受話装置。
【請求項３】
上記入力操作部に対する操作に基づく予めの設定に応じた状態として、さらに、上記無線電話装置における留守番機能が発揮される状態、あるいは、上記無線電話装置における着信に対する予め設定された応答がなされる状態が含まれることを特徴とする請求項２記載の車載送受話装置。
【請求項４】
上記入力操作部が、上記運転者による操作に従って、上記制御部に上記入力操作部に対する操作に基づく予めの設定に応じた状態の一つを選択させることを特徴とする請求項２記載の車載送受話装置。
【請求項５】
上記同乗者検出部が、人体から輻射される赤外線に応答する赤外線センサを用いて構成されることを特徴とする請求項１記載の車載送受話装置。
【請求項６】
上記同乗者検出部が、上記車両における人の乗降がある都度、検出状態を更新することを特徴とする請求項１記載の車載送受話装置。
【発明の詳細な説明】
【０００１】
【発明の属する技術分野】
本願の特許請求の範囲に記載された発明は、車両の運転者が、車両における携帯電話装置等の無線電話装置による通話を、車両に備えられた音声入力部と音声出力部とを通じて、無線電話装置を手動操作することなく行える状態をとることができるようになす車載送受話装置に関する。
【０００２】
【従来の技術】
車両においてステアリング・ホイールを操作する運転者が、当該車両に装備された無線電話装置である自動車電話機による通話、あるいは、当該車両に持ち込まれた無線電話装置とされる携帯電話機による通話を、自動車電話機のハンドセット等あるいは携帯電話機を手動操作することなく行えるようにするハンズフリー装置が知られている。このような車両における無線電話装置による通話に供されるハンズフリー装置は、小型マイクロフォンと小型スピーカとを備えたものとされて使用者の頭に装着されるヘッドセット、あるいは、車両の車室内における運転者の近傍となる部分に取り付けられた車載マイクロフォンと車載スピーカとに加えて、無線電話装置が有線接続もしくは無線接続されて、無線電話装置からの信号及び無線電話装置への信号の伝送が行われる連結部を含んで構成される。そして、ヘッドセットに備えられた小型マイクロフォン及び小型スピーカ、あるいは、車載マイクロフォン及び車載スピーカが、無線電話装置による通話に際し、その無線電話装置に内蔵されたマイクロフォン及びスピーカに代わる機能を果たすものとされる。
【０００３】
従って、ハンズフリー装置が装備された車両においては、運転者はその手をステアリング・ホイールにおいたまま無線電話装置による通話、即ち、ハンズフリーでの通話を行うことができ、運転者の通話動作がその運転者の運転操作に支障をきたすものとなる度合いの低減が図られることになる。
【０００４】
斯かる車両の運転者の無線電話装置による通話に供されるハンズフリー装置のうちの車載マイクロフォンと車載スピーカとを備えたものにあっては、車載スピーカが、無線電話装置において再生された音声信号に基づく音声出力を、車室内に発するものとされる。従って、特に、無線電話装置において着信状態がとられて開始される通話を運転者が行うとき、車室内にその運転者以外の同乗者が居る場合には、運転者の通話相手の音声が車載スピーカを通じて発せられ、それが同乗者にも聞こえてしまうことになり、プライバシーの保護あるいは善良なマナー維持等の観点からの不都合がまねかれる。
【０００５】
このような不都合に対処すべく、車室内に運転者以外の同乗者が居ることを検出する同乗者検出手段を伴ったハンズフリー式自動車電話システムが提案されている（例えば、特許文献１参照。）。斯かる提案されたハンズフリー式自動車電話システムにあっては、例えば、車室内に持ち込まれた携帯電話機がセットされる無線機と、車室内に設けられた外部マイクロフォン及び外部スピーカと、助手席や後部座席について同乗者の有無を検出する同乗者検出手段と、表示手段とを含んで構成される。そして、無線機にセットされた携帯電話機において着信状態がとられたとき、同乗者検出手段によって同乗者が居ることが検出される場合には、携帯電話機を着信状態とした相手側の通話者の氏名等が表示手段を通じて運転者に示され、その表示に基づく運転者のスイッチ操作等に応じて、車室内に設けられた外部マイクロフォン及び外部スピーカが利用されての通話であるハンズフリーでの通話が行える状態、あるいは、相手側の通話者に通話できる状況にない旨を伝えて、通話を拒否する状態がとられる。
【０００６】
【特許文献１】
特開平１０−２０３２５７号公報（第３−４頁、図３）
【０００７】
【発明が解決しようとする課題】
上述のハンズフリー式自動車電話システムのように、車室内に持ち込まれた携帯電話機とされる無線電話装置において着信状態がとられたとき、車室内に運転者以外の同乗者が居る場合には、無線電話装置を着信状態とした相手側の通話者の氏名等が表示手段により表示され、その表示に基づく運転者のスイッチ操作等に応じて、ハンズフリーでの通話を行える状態、あるいは、相手側の通話者に通話できる状況にない旨を伝えて通話を拒否する状態、がとられるようにされたものにおいては、車室内に運転者と運転者以外の同乗者とが居るもとで無線電話装置において着信状態がとられたとき、運転者に、無線電話装置を着信状態とした相手側の通話者を表示手段により確認する作業に加えて、その確認結果に基づいてスイッチ操作等を行う作業が要され、無線電話装置において着信状態がとられた後に運転者に課せられる負担が増大することになるという問題がある。
【０００８】
斯かる点に鑑み、本願の特許請求の範囲に記載された発明は、車室内に運転者と運転者以外の同乗者とが居るもとで、例えば、車両に装備された自動車電話機あるいは車両に持ち込まれた携帯電話機とされる無線電話装置において着信状態がとられたとき、運転者が、自動車電話機のハンドセットあるいは携帯電話機を手動操作することなく、当該無線電話装置による通話をハンズフリーでの通話として行える状態、あるいは、相手側の通話者に通話できる状況にない旨を伝えたもとで通話を拒否できる状態等を、運転者に課せられる負担の増大をまねくことなくとることができる車載送受話装置を提供する。
【０００９】
【課題を解決するための手段】
本願の特許請求の範囲における請求項１から請求項６までのいずれかに記載された発明に係る車載送受話装置は、車両に設けられて無線電話装置が連結される連結部と、車両に設けられ、音声入力に応じた入力音声信号を連結部を通じて無線電話装置に供給すべく送出する音声入力部と、車両に設けられ、無声電話装置からの出力音声信号を連結部を通じて受け、その出力音声信号に応じた音声出力を発する音声出力部と、車両における運転者以外の同乗者の存在を検出する同乗者検出部と、車両の運転者による操作が行われる入力操作部と、制御部とを備え、制御部が、連結部を通じて無線電話装置が連結されるとともに同乗者検出部及び入力操作部が接続され、無線電話装置において着信状態がとられたとき、同乗者検出部により同乗者の存在が検出されない場合には、無線電話装置による通話が車両に設けられた音声入力部及び音声出力部を通じて行なわれるハンズフリー状態となし、同乗者検出部により同乗者の存在が検出される場合には、入力操作部に対する操作に基づく予めの設定に応じた状態となすものとされて構成される。
【００１０】
上述の如くに構成される本願の特許請求の範囲における請求項１から請求項６までのいずれかに記載された発明に係る車載送受話装置によれば、同乗者検出手段により車室内に運転者以外の同乗者が居ないことが検出されるもとで無線電話装置において着信状態がとられるときには、当該無線電話装置による通話を、車両に設けられた音声入力部及び音声出力部を通じて行われるハンズフリー状態がとられ、また、同乗者検出手段により車室内に運転者以外の同乗者が居ることが検出されるもとで無線電話装置において着信状態がとられるときには、入力操作部に対する操作に基づく予めの設定に応じた状態がとられる。
【００１１】
斯かる際、同乗者検出手段により車室内に運転者以外の同乗者が居ることが検出されるもとでとられる、入力操作部に対する操作に基づく予めの設定に応じた状態は、例えば、請求項２に記載された発明に係る車載送受話装置の場合のように、各々が選択的にとられる、ハンズフリー状態、及び、無線電話装置による通話が車両に設けられた音声入力部及び音声出力部を通じることなく行われる状態が含まれるもの、もしくは、請求項３に記載された発明に係る車載送受話装置の場合のように、各々が選択的にとられる、ハンズフリー状態、及び、無線電話装置による通話が車両に設けられた音声入力部及び音声出力部を通じることなく行われる状態に加えて、無線電話装置における留守番機能が発揮される状態、あるいは、無線電話装置における着信に対する予め設定された応答がなされる状態が含まれるものとされる。
【００１２】
斯かるもとにあっては、同乗者検出手段により検出される運転者以外の同乗者については、無線電話装置における着信状態がとられて開始される通話を聞かれて差し支えがないか否かを運転者が判断することが可能であるので、運転者が、同乗者があるもとで車両の運転を開始する前に、その同乗者に応じた操作を入力操作部に対して行うことにより、車両の運転開始後に無線電話装置における着信状態がとられたとき、入力操作部に対する操作に基づく予めの設定に従った同乗者に応じた状態、例えば、ハンズフリー状態，無線電話装置による通話が車両に設けられた音声入力部及び音声出力部を通じることなく行われる状態等のいずれか、もしくは、無線電話装置における留守番機能が発揮される状態、あるいは、無線電話装置における着信に対する予め設定された応答がなされる状態等のいずれかが、運転者に課せられる負担の増大がまねかれることなく、自動的にとられることになる。
【００１３】
【発明の実施の形態】
図１は、本願の特許請求の範囲における請求項１から請求項６までのいずれかに記載された発明に係る車載送受話装置の一例を、それに連結される無線電話装置と共に示すブロック接続図である。
【００１４】
図１において、無線電話装置１１は、例えば、ハンズフリー装置１２が装備された車両の車室内に持ち込まれた携帯電話機とされる。斯かる携帯電話機とされる無線電話装置１１と車両に装備されたハンズフリー装置１２とは、車両に設けられて無線電話装置１１とハンズフリー装置１２との両者を相互接続する連結部１３に連結されている。さらに、ハンズフリー装置１２には、車両における運転者以外の同乗者の存在を検出する同乗者検出部１４が接続され、さらに、その同乗者検出部１４に、車両における人の乗降を車両に備えられたドアの開閉をもって検出するドア開閉検出部１５が接続されている。
【００１５】
無線電話装置１１は、単独で使用される状態とハンズフリー装置１２と共に使用される状態とが選択的にとられるものとされ、ハンズフリー装置１２と共に使用される場合には、無線電話装置１１及びハンズフリー装置１２の夫々についての送受信信号が、両者間を連結部１３を通じて伝送される。
【００１６】
連結部１３は、無線電話装置１１とハンズフリー装置１２とを相互接続するにあたり、両者を有線接続するもの、あるいは、無線電話装置１１とハンズフリー装置１２との間で信号が無線送受信されるようにすべく、両者を無線接続するものとされる。
【００１７】
無線電話装置１１にあっては、送受信部，音声入力部，音声出力部、電話機能部及び対ハンズフリー装置送受信部を含む各部が、電話制御部による動作制御のもとに作動せしめられる。電話制御部は、必要に応じて、制御信号を連結部１３を通じて、ハンズフリー装置１２にも供給する。送受信部は、例えば、公衆電話通信システムにおけるローカル無線局との間で、電話信号の無線送信及び無線受信をアンテナ１６を通じて行う。そして、音声入力部は、音声入力に応じた入力音声信号を送受信部に供給し、音声出力部は、送受信部から得られる再生音声信号に応じた音声出力を発生する。また、電話機能部は、例えば、留守番機能，着信に対する予め設定された応答をする機能であるメッセージ応答機能等の電話機に付随する機能を果たす。さらに、対ハンズフリー装置送受信部は、送受信部から得られる再生音声信号を、連結部１３を通じてハンズフリー装置１２に送るとともに、ハンズフリー装置１２からの音声信号を連結部１３を通じて受ける。
【００１８】
ハンズフリー装置１２にあっては、音声出力部及び音声入力部を含む各部が、ハンズフリー制御部による動作制御のもとに作動せしめられる。ハンズフリー制御部は、その動作制御を、車両の運転者による操作が行われる入力操作部、応答スイッチの操作状態、さらには、同乗者検出部１４及びドア開閉検出部１５による検出状態に応じたもの、あるいは、連結部１３を通じて供給される無線電話装置１１の電話制御部からの制御信号に応じたものとなし、必要に応じて、制御信号を連結部１３を通じて、無線電話装置１１の電話制御部にも送り、無線電話装置１１の電話制御部による制御動作を制御する。
【００１９】
また、ハンズフリー装置１２にあっては、音声出力部が、連結部１３を通じて供給される無線電話装置１１からの再生音声信号に応じた音声出力を発生し、音声入力部が、音声入力に応じた入力音声信号を連結部１３を通じて無線電話装置１１へと送出する、入力操作部は、ハンズフリー装置１２の使用者とされる車両の運転者による操作が行われ、その操作状態に基づいて、無線電話装置１１がハンズフリー装置１２と共に使用される状態、あるいは、無線電話装置１１が単独で使用されるもとで、無線電話装置１１の音声出力部及び音声入力部を通じての通話がなされる通話応答態様，無線電話装置１１の留守番機能が発揮される通話応答態様、もしくは、無線電話装置１１のメッセージ応答機能が発揮される通話応答態様等々がとられる状態が、予めの設定としてとられることになるものとされる。応答スイッチは、無線電話装置１１がハンズフリー装置１２と共に使用される状態のもとで、ハンズフリー装置１２の使用者とされる車両の運転者により操作され、それに応じた制御動作をハンズフリー制御部に行わせる。
【００２０】
このようなもとで、無線電話装置１１が連結される連結部１３と、同乗者検出部１４と、ハンズフリー装置１２に内蔵される音声入力部，音声出力部及びハンズフリー制御部とを含む部分によって、本願の特許請求の範囲における請求項１から請求項６までのいずれかに記載された発明に係る車載送受話装置の一例が形成されている。
【００２１】
そして、無線電話装置１１にあっては、例えば、ローカル無線局からの呼出データを内容とする電話信号がアンテナ１６及び送受信部を通じて無線受信されると、電話制御部が、着信状態をあらわす制御信号を、連結部１３を通じて、ハンズフリー装置１２のハンズフリー制御部に供給する動作が行われる。
【００２２】
連結部１３を通じて無線電話装置１１からの着信状態をあらわす制御信号が供給されたハンズフリー装置１２にあっては、ハンズフリー制御部が、同乗者検出部１４による検出状態、及び、入力操作部に対する操作に基づく予めの設定に応じて、無線電話装置１１がハンズフリー装置１２と共に使用されるべき状態か、無線電話装置１１が単独で使用されるべき状態かを判断し、さらに、無線電話装置１１が単独で使用されるべき状態である場合には、無線電話装置１１においてとられるべき通話応答態様を選定して、その判断結果さらには選定結果をあらわす制御信号を、連結部１３を通じて、無線電話装置１１の電話制御部に供給する動作が行われる。
【００２３】
そして、連結部１３を通じてハンズフリー装置１２からの判断結果さらには選定結果をあらわす制御信号が供給された無線電話装置１１にあっては、電話制御部が、その制御信号に応じて、無線電話装置１１がハンズフリー装置１２と共に使用される状態、あるいは、無線電話装置１１が単独で使用されるもとで選定された通話応答態様がとられる状態を設定する。
【００２４】
斯かる際における、ハンズフリー装置１２のハンズフリー制御部による、同乗者検出部１４による検出状態、及び、入力操作部に対する操作に基づく予めの設定に応じての、無線電話装置１１がハンズフリー装置１２と共に使用されるべき状態か、無線電話装置１１が単独で使用されるべき状態かの判断、さらには、無線電話装置１１が単独で使用されるべき状態である場合における、無線電話装置１１においてとられるべき通話応答態様の選定は、次のようにして行われる。
【００２５】
先ず、同乗者検出部１４による検出状態が、車両に運転者以外の同乗者が存在しないことをあらわすときには、無線電話装置１１がハンズフリー装置１２と共に使用されるべき状態であると判断する。それに対して、同乗者検出部１４による検出状態が、車両に運転者以外の同乗者が存在することをあらわすときには、入力操作部に対する操作に基づく予めの設定に従って、無線電話装置１１がハンズフリー装置１２と共に使用されるべき状態，無線電話装置１１が単独で使用されるもとで所定の通話応答態様がとられるべき状態を選定する。その際における所定の通話応答態様は、無線電話装置１１の音声出力部及び音声入力部を通じての通話がなされる通話応答態様，無線電話装置１１の留守番機能が発揮される通話応答態様、もしくは、無線電話装置１１のメッセージ応答機能が発揮される通話応答態様等々とされる。
【００２６】
そして、無線電話装置１１の電話制御部により無線電話装置１１がハンズフリー装置１２と共に使用される状態が設定されたときには、無線電話装置１１において、アンテナ１６及び送受信部を通じてローカル無線局との間で電話信号の無線送受信が行われる電話信号送受信動作が行われる状態がとられ、電話制御部が、送受信部から得られる再生された呼出データに基づく呼出し音データを連結部１３を通じてハンズフリー装置１２に供給するとともに、対ハンズフリー装置送受信部が、送受信部から得られる再生音声信号を連結部１３を通じてハンズフリー装置１２に供給し、また、ハンズフリー装置１２から送出される音声信号を連結部１３を通じて受け、それを送受信部に供給する。
【００２７】
このとき、ハンズフリー装置１２においては、先ず、無線電話装置１１から連結部１３を通じて呼出し音データが供給されて、音声出力部から呼出し音データに基づく呼出し音が発せられる。それに応答して、ハンズフリー装置の使用者である車両の運転者が応答スイッチを操作すると、ハンズフリー制御部から応答スイッチに対する操作に応じた制御信号が、連結部１３を通じて無線電話装置１１の電話制御部に供給される。
【００２８】
斯かるハンズフリー制御部からの制御信号に応じた無線電話装置１１の電話制御部による制御動作により、ローカル無線局と無線電話装置１１との間における交信が車両に設置されたハンズフリー装置１２を介して行われる状態とされる、ハンズフリー状態がとられる。
【００２９】
また、無線電話装置１１の電話制御部により、無線電話装置１１が単独で使用されるもとで選定された通話応答態様がとられる状態が設定されたときには、ハンズフリー装置１２は関与しないものとされる。そして、無線電話装置１１において、電話制御部により、例えば、無線電話装置１１の音声出力部及び音声入力部を通じての通話がなされる通話応答態様，無線電話装置１１の留守番機能が発揮される通話応答態様、もしくは、着信に対する予め設定された応答をする機能である無線電話装置１１のメッセージ応答機能が発揮される通話応答態様のいずれかがとられる。
【００３０】
特に、無線電話装置１１の音声出力部及び音声入力部を通じての通話がなされる通話応答態様がとられる場合には、無線電話装置１１において、先ず、電話制御部が、送受信部から得られる再生された呼出データに基づく呼出し音データを音声出力部に供給するとともに、対ハンズフリー装置送受信部が、送受信部から得られる再生音声信号を音声出力部に供給する。それにより、音声出力部から呼出し音データに基づく呼出し音が発せられ、それに応答した無線電話装置１１についての操作が行われて、ローカル無線局と無線電話装置１１との間における交信が、無線電話装置１１の音声入力部及び音声出力部を通じて、無線電話装置１１単独で行われる状態がとられる。
【００３１】
ハンズフリー装置１２における音声出力部及び音声入力部は、夫々、車両における車室内に取り付けられたスピーカ及びマイクロフォンを含むものとされ、これらのスピーカ及びマイクロフォンは、例えば、車室内におけるステアリングホイールの近傍に配される。また、ハンズフリー装置１２におけるハンズフリー制御部，入力操作部，応答スイッチ等は、例えば、車室内のフロント・コンソール部分に配されたハンズフリー本体部に収められる。
【００３２】
図２は、図１に示される無線電話装置１１，ハンズフリー装置１２及び同乗者検出部１４の構成をより詳細に示す。図２に示される無線電話装置１１にあっては、上述のように、ハンズフリー装置１２と共に使用され、ハンズフリー状態のもとでの応答が行われることになる状態と、単独で使用される状態とが選択的にとられる。
【００３３】
無線電話装置１１においては、例えば、ローカル無線局からの電話信号ＳＤＲが、アンテナ１６を通じて無線受信され、さらに、送受分波部２０を通じて受信部２１に供給されると、受信部２１においては、電話信号ＳＤＲについての周波数変換及びその他の処理が行われて、ディジタル位相変調信号ＳＸＤが形成され、それが復調部２２に供給される。復調部２２においては、ディジタル位相変調信号ＳＸＤに対しての復調が行われ、復調部２２から、ディジタル位相変調信号ＳＸＤに基づく受信多重合成データＤＲＸが得られ、それが時分割多重処理部２３に供給される。
【００３４】
時分割多重処理部２３においては、復調部２２からの受信多重合成データＤＲＸから、再生音声データＤＣＢ，呼し出データを伴う状態を選択的にとる制御情報データＤＩＤ等が分離されて得られる。そして、制御情報データＤＩＤは、電話制御部２４に供給され、再生音声データＤＣＢは、符号化／復号化部２５に供給される。
【００３５】
時分割多重処理部２３から電話制御部２４に呼出しデータを伴った制御情報データＤＩＤが供給されると、電話制御部２４が、着信状態をあらわす制御信号ＣＲを送出して、それを連結部１３を通じてハンズフリー装置１２のハンズフリー制御部５０に供給する。それに応答して、ハンズフリー装置１２のハンズフリー制御部５０から、無線電話装置１１がハンズフリー装置１２と共に使用される状態、あるいは、無線電話装置１１が単独で使用されるもとで選定された通話応答態様がとられる状態とされるべきことを指示する制御信号ＤＣが、連結部１３を通じて電話制御部２４に供給される。
【００３６】
制御信号ＤＣが供給された電話制御部２４は、制御信号ＤＣに応じて、無線電話装置１１がハンズフリー装置１２と共に使用される状態、あるいは、無線電話装置１１が単独で使用されるもとで選定された通話応答態様がとられる状態を設定する。
【００３７】
無線電話装置１１がハンズフリー装置１２と共に使用される状態が設定される場合には、電話制御部２４からスイッチ２６，スイッチ２７及びスイッチ２８の夫々に供給されるスイッチ制御信号ＣＳＷ１が、スイッチ２６に可動接点２６ａが選択接点２６ｃに接続される状態をとらせ、スイッチ２７に可動接点２７ａが選択接点２７ｃに接続される状態をとらせ、さらに、スイッチ２８に可動接点２８ａが選択接点２８ｃに接続される状態をとらせるものとされる。スイッチ２６，２７及びスイッチ２８は、対ハンズフリー装置送受信部を形成している。
【００３８】
斯かるもとで、電話制御部２４から、制御情報データＤＩＤに伴って供給された呼出しデータに応じた呼出し音データＤＬが送出され、その呼出し音データＤＬが、対ハンズフリー装置送受信部を形成するスイッチ２８により、データ加算部２９及び連結部１３を通じてハンズフリー装置１２に供給される。それにより、後述されるようにして、ハンズフリー装置１２において呼出し音が発せられる。
【００３９】
また、時分割多重処理部２３からの再生音声データＤＣＢが供給される符号化／復号化部２５においては、再生音声データＤＣＢについての復号化が行われて、再生音声データＤＣＢに基づく再生ディジタル音声信号ＤＢが得られる。この再生ディジタル音声信号ＤＢは、対ハンズフリー装置送受信部を形成するスイッチ２６により、データ加算部２９及び連結部１３を通じてハンズフリー装置１２に供給される。
【００４０】
ハンズフリー装置１２においては、上述の電話制御部２４からの呼出し音データＤＬ及び符号化／復号化部２５からの再生ディジタル音声信号ＤＢの供給に応答したものとして、ディジタル音声信号ＤＨが送出される。このハンズフリー装置１２からのディジタル音声信号ＤＨは、連結部１３を通じて無線電話装置１１に供給される。
【００４１】
無線電話装置１１においては、ハンズフリー装置１２からのディジタル音声信号ＤＨが、対ハンズフリー装置送受信部を形成するスイッチ２７によって、符号化／復号化部２５に供給される。符号化／復号化部２５は、スイッチ２７からのディジタル音声信号ＤＨに基づき、符号化された音声データＤＣＡを得て、それを時分割多重処理部２３に供給する。時分割多重処理部２３には、電話制御部２４からの、通話に必要とされる制御情報をあらわす制御情報データＤＯＤも供給される。
【００４２】
時分割多重処理部２３は、符号化／復号化部２５からの符号化された音声データＤＣＡ及び電話制御部２４からの制御情報データＤＯＤに時分割多重処理を施して、多重合成データＤＴＸを形成し、その多重合成データＤＴＸを変調部３０に供給する。変調部３０は、多重合成データＤＴＸを変調データとする変調を行って、多重合成データＤＴＸに基づく所定の搬送周波数を有したディジタル位相変調信号ＳＸＭを得、それを送信部３１に供給する。送信部３１は、ディジタル位相変調信号ＳＸＭについての周波数変換及びその他の処理を行って、送信用の電話信号ＳＤＴを形成し、それを送受分波部２０に供給する。そして、送受分波部２０に供給された送信部３１からの電話信号ＳＤＴが、アンテナ１６を通じてローカル無線局へと無線送信される。
【００４３】
このようにして、ローカル無線局からの電話信号ＳＤＲが受信部２１により受信されて符号化／復号化部２５から得られる再生ディジタル音声信号ＤＢが、連結部１３を通じてハンズフリー装置１２へと送られるとともに、ハンズフリー装置１２からのディジタル音声信号ＤＨが、連結部１３を通じて符号化／復号化部２５に供給され、それにより得られるディジタル音声信号ＤＨに基づく送信用の電話信号ＳＤＴが、送信部３１から送受分波部２０及びアンテナ１６を通じて、ローカル無線局へと無線送信される。それにより、無線電話装置１１によるローカル無線局との通話がハンズフリー装置１２を通じて行われる、ハンズフリー状態が自動的にとられることになる。
【００４４】
一方、無線電話装置１１が単独で使用されるもとで選定された通話応答態様がとられる状態が設定される場合には、電話制御部２４からスイッチ２６，スイッチ２７及びスイッチ２８の夫々に供給されるスイッチ制御信号ＣＳＷ１が、スイッチ２６に可動接点２６ａが選択接点２６ｂに接続される状態をとらせ、スイッチ２７に可動接点２７ａが選択接点２７ｂに接続される状態をとらせ、さらに、スイッチ２８に可動接点２８ａが選択接点２８ｂに接続される状態をとらせるものとされる。
【００４５】
また、それとともに、電話制御部２４が、ハンズフリー装置１２からの制御信号ＤＣに従って、例えば、無線電話装置１１の音声出力部及び音声入力部を通じての通話がなされる通話応答態様，無線電話装置１１の留守番機能が発揮される通話応答態様、もしくは、着信に対する予め設定された応答をする機能である無線電話装置１１のメッセージ応答機能が発揮される通話応答態様のいずれかを選定する。
【００４６】
電話制御部２４により、無線電話装置１１の音声出力部及び音声入力部を通じての通話がなされる通話応答態様が選定されたときには、電話制御部２４からスイッチ３２及びスイッチ３３の夫々に供給されるスイッチ制御信号ＣＳＷ２が、スイッチ３２に可動接点３２ａが選択接点３２ｂに接続される状態をとらせ、また、スイッチ３３に可動接点３３ａが選択接点３３ｂに接続される状態をとらせるものとされる。
【００４７】
そして、時分割多重処理部２３から電話制御部２４に呼出しデータを伴った制御情報データＤＩＤが供給されると、その制御情報データＤＩＤに伴って供給された呼出しデータに応じて、電話制御部２４から呼出し音データＤＬが送出され、その呼出し音データＤＬが対ハンズフリー装置送受信部を形成するスイッチ２８及びデータ加算部３５を通じてディジタル／アナログ変換部（Ｄ／Ａ変換部）３６に供給される。呼出し音データＤＬが供給されたＤ／Ａ変換部３６においては、呼出し音データＤＬにアナログ化処理が施されて、呼出し音データＤＬに基づく音声信号ＱＢが得られ、それがレベル調整部３７を経て、スピーカ３８に供給される。それにより、スピーカ３８から呼出し音が発せられる。
【００４８】
なお、電話制御部２４においては、時分割多重処理部２３から供給される制御情報データＤＩＤに応じた各種の制御も行われる。
【００４９】
また、時分割多重処理部２３からの再生音声データＤＣＢが供給される符号化／復号化部２５においては、再生音声データＤＣＢについての復号化が行われて、再生音声データＤＣＢに基づく再生ディジタル音声信号ＤＢが得られ、それが対ハンズフリー装置送受信部を形成するスイッチ２６，スイッチ３２及びデータ加算部３５を通じてＤ／Ａ変換部３６に供給される。Ｄ／Ａ変換部３６においては、再生ディジタル音声信号ＤＢにアナログ化処理が施されて、再生ディジタル音声信号ＤＢに基づく再生音声信号ＱＢが得られ、それが、レベル調整部３７を経て、スピーカ３８に供給される。その結果、スピーカ３８から再生ディジタル音声信号ＤＢに基づく音声が発せられる。
【００５０】
さらに、このようなもとで、マイクロフォン４０からそれに対する音声入力に応じて得られる音声信号ＱＡが、レベル調整部４１を経て、アナログ／ディジタル変換部（Ａ／Ｄ変換部）４２に供給されると、Ａ／Ｄ変換部４２から、音声信号ＱＡがディジタル化されて得られるディジタル音声信号ＤＡが送出される。そして、ディジタル音声信号ＤＡは、スイッチ３３及び対ハンズフリー装置送受信部を形成するスイッチ２７を通じて、符号化／復号化部２５に供給される。符号化／復号化部２５においては、スイッチ２７からのディジタル音声信号ＤＡに基づき、符号化された音声データＤＣＡが得られ、それが時分割多重処理部２３に供給される。
【００５１】
時分割多重処理部２３には、電話制御部２４からの、通話に必要とされる制御情報をあらわす制御情報データＤＯＤも供給される。そして、時分割多重処理部２３において、電話制御部２４からの制御情報データＤＯＤ及び符号化／復号化部２５からの符号化された音声データＤＣＡが時分割多重されて多重合成データＤＴＸが形成される。この多重合成データＤＴＸも、前述の無線電話装置１１がハンズフリー装置１２と共に使用される場合と同様にして、それに基づく送信用の電話信号ＳＤＴが送信部３１において形成されるものとされ、その電話信号ＳＤＴが、送受分波部２０及びアンテナ１６を通じてローカル無線局へと無線送信される。
【００５２】
このようにして、携帯電話装置１１に備えられたスピーカ３８及びマイクロフォン４０を通じての通話が行われる。なお、携帯電話装置１１からの通話呼出しが行われる場合には、入力操作部４４が操作されて、入力操作部４４から電話制御部２４に供給される指令データＤＫが呼出しダイヤルデータとされる。このとき、電話制御部２４からは、入力操作部４４からの指令データＤＫに応じた表示信号ＤＹが表示部４５に供給され、電話制御部２４に指令データＤＫとして供給される呼出しダイヤルデータがあらわすダイヤル番号が、表示部４５において文字表示される。そして、電話制御部２４から、指令データＤＫとして供給された呼出しダイヤルデータに応じたダイヤルデータを伴う制御情報データＤＯＤが、時分割多重処理部２３に供給される。その結果、送信部３１において、ダイヤルデータを内容とする送信用の電話信号ＳＤＴが形成され、それが送受分波部２０及びアンテナ１６を通じてローカル無線局へと無線送信されて、通話呼出しが行われる。
【００５３】
電話制御部２０により、無線電話装置１１の留守番機能が発揮される通話応答態様が選定されたときには、電話制御部２４からスイッチ３２及びスイッチ３３の夫々に供給されるスイッチ制御信号ＣＳＷ２が、スイッチ３２に可動接点３２ａが選択接点３２ｃに接続される状態をとらせ、また、スイッチ３３に可動接点３３ａが選択接点３３ｃに接続される状態をとらせるものとされる。そして、電話制御部２４に内蔵された留守番電話プログラムが作動せしめられる。また、このとき、符号化／復号化部２５から得られる再生ディジタル音声信号ＤＢが、対ハンズフリー装置送受信部を形成するスイッチ２６及びスイッチ３２を通じて、電話制御部２４に供給される。
【００５４】
留守番電話プログラムが作動せしめられたもとにあっては、そのプログラムに従った所定のメッセージをあらわすメッセージデータＤＧが電話制御部２４から送出されて、それがスイッチ３３及び対ハンズフリー装置送受信部を形成するスイッチ２７を通じて、符号化／復号化部２５に供給されるとともに、符号化／復号化部２５からスイッチ２６及びスイッチ３２を通じて電話制御部２４に供給される再生ディジタル音声信号ＤＢが、メモリ部４６に取り込まれて記憶される。符号化／復号化部２５に供給されるメッセージデータＤＧは、それに基づく送信用の電話信号ＳＤＴが送信部３１において形成されて、その電話信号ＳＤＴがローカル無線局へと無線送信されるものとされ、それにより、留守番電話プログラムに従ったメッセージが相手側の通話者に伝えられる。このようにして、電話制御部２４に内蔵された留守番電話プログラムに従った留守番機能が発揮される。
【００５５】
さらに、電話制御部２４により、着信に対する予め設定された応答をする機能である無線電話装置１１のメッセージ応答機能が発揮される通話応答態様が選定されたときには、電話制御部２４からスイッチ３２及びスイッチ３３の夫々に供給されるスイッチ制御信号ＣＳＷ２が、スイッチ３２に可動接点３２ａが選択接点３２ｃに接続される状態をとらせ、また、スイッチ３３に可動接点３３ａが選択接点３３ｃに接続される状態をとらせるものとされる。そして、電話制御部２４に内蔵されたメッセージ応答プログラムが作動せしめられる。
【００５６】
メッセージ応答プログラムが作動せしめられたもとにあっては、そのプログラムに従って、メモリ部４７に予め格納された応答メッセージをあらわすメッセージデータＤＧが電話制御部２４から送出され、そのメッセージデータＤＧが、スイッチ３３及び対ハンズフリー装置送受信部を形成するスイッチ２７を通じて、符号化／復号化部２５に供給され、その後、所定の時間が経過したとき、通話が遮断される。斯かる際にメッセージデータＤＧがあらすメモリ部４７に予め格納された応答メッセージは、例えば、相手側の通話者に、現在電話にでられない旨を伝えるもの等とされる。
【００５７】
符号化／復号化部２５に供給されるメッセージデータＤＧは、それに基づく送信用の電話信号ＳＤＴが送信部３１において形成されて、その電話信号ＳＤＴがローカル無線局へと無線送信されるものとされ、それにより、メッセージ応答プログラムに従った応答メッセージが相手側の通話者に伝えられる。このようにして、電話制御部２４に内蔵されたメッセージ応答プログラム従ったメッセージ応答機能が発揮される。
【００５８】
ハンズフリー装置１２においては、車両の運転者によって入力操作部５１が予め操作される。この操作は、車両において運転者以外の同乗者が存在するもとでの無線電話装置１１の使用状態を予め設定するための操作とされ、具体的には、車両において運転者以外の同乗者が存在することになる場合、その同乗者が特定の者、例えば、プライバシーに関する問題が生じる虞の無い者であるときには、無線電話装置１１がハンズフリー装置１２と共に使用される状態がとられるようにし、その同乗者が特定の者でないときには、無線電話装置１１が単独で使用されるもとで、所定の通話応答態様、例えば、無線電話装置１１の音声出力部及び音声入力部を通じての通話がなされる通話応答態様，無線電話装置１１の留守番機能が発揮される通話応答態様、もしくは、無線電話装置１１のメッセージ応答機能が発揮される通話応答態様がとられるようにするものとされる。
【００５９】
このような車両の運転者による操作が行われる入力操作部５１は、その操作に応じた操作出力データＤＸをハンズフリー制御部５０に供給する。それにより、ハンズフリー制御部５０において、操作出力データＤＸに基づいて、無線電話装置１１の使用状態に関しての、無線電話装置１１がハンズフリー装置１２と共に使用されるべき状態、あるいは、無線電話装置１１が単独で使用されるもとで所定の通話応答態様、例えば、無線電話装置１１の音声出力部及び音声入力部を通じての通話がなされる通話応答態様，無線電話装置１１の留守番機能が発揮される通話応答態様、もしくは、無線電話装置１１のメッセージ応答機能が発揮される通話応答態様が選定されるべき状態を指示する、入力操作部５１に対する操作に基づく予めの設定が保存される。
【００６０】
斯かるもとで、ハンズフリー装置１２にあっては、連結部１３を通じて無線電話装置１１からの着信状態をあらわす制御信号ＣＲがハンズフリー制御部５０に供給されるとき、ハンズフリー制御部５０が、同乗者検出部１４からの検出出力データＤＰが、車両における運転者以外の同乗者の存在を検出しなかったことをあらわす場合には、無線電話装置１１がハンズフリー装置１２と共に使用されるべき状態であると判断する。そして、その判断をあらわす制御信号ＤＣを送出して、それを連結部１３を通じて無線電話装置１１の電話制御部２４に供給する。
【００６１】
また、ハンズフリー制御部５０は、連結部１３を通じて無線電話装置１１からの着信状態をあらわす制御信号ＣＲがハンズフリー制御部５０に供給されるとき、同乗者検出部１４からの検出出力データＤＰが、車両における運転者以外の同乗者の存在を検出したことをあらわす場合には、ハンズフリー制御部５０に保存されている、入力操作部５１に対する操作に基づく予めの設定に従って、無線電話装置１１がハンズフリー装置１２と共に使用されるべき状態、あるいは、無線電話装置１１が単独で使用されるもとで所定の通話応答態様がとられるべき状態を選定する。その際における所定の通話応答態様は、例えば、無線電話装置１１の音声出力部及び音声入力部を通じての通話がなされる通話応答態様，無線電話装置１１の留守番機能が発揮される通話応答態様、もしくは、無線電話装置１１のメッセージ応答機能が発揮される通話応答態様とする。そして、ハンズフリー制御部５０は、その選定をあらわす制御信号ＤＣを送出して、それを連結部１３を通じて無線電話装置１１の電話制御部２４に供給する。
【００６２】
さらに、ハンズフリー装置１２にあっては、連結部１３を通じて無線電話装置１１からの呼出し音データＤＬが供給されるとき、その呼出し音データＤＬがＤ／Ａ変換部５２に供給される。Ｄ／Ａ変換部５２においては、呼出し音データＤＬにアナログ化処理が施されて、呼出し音データＤＬに基づく音声信号ＳＢが得られ、それがレベル調整部５３を経て、スピーカ５４に供給される。それにより、スピーカ５４から呼出し音が発せられる。
【００６３】
このようにしてスピーカ５４から発せられる呼出し音に対して、ハンズフリー装置１２の使用者である車両の運転者が応答し、その運転者によって、応答スイッチ５５が操作され、応答スイッチ５５がハンズフリー状態のもとでの応答を可能とする状態におかれると、応答スイッチ５５からハンズフリー制御部５０に、ハンズフリー状態のもとでの応答を可能とするための制御信号ＣＡが供給される。ハンズフリー制御部５０は、制御信号ＣＡに応じた制御信号ＤＣを形成し、それを連結部１３を通じて無線電話装置１１の電話制御部２４に供給する。
【００６４】
その後、ハンズフリー装置１２に連結部１３を通じて無線電話装置１１からの再生ディジタル音声信号ＤＢが供給されると、その再生ディジタル音声信号ＤＢがＤ／Ａ変換部５２に供給される。Ｄ／Ａ変換部５２においては、再生ディジタル音声信号ＤＢにアナログ化処理が施されて、再生ディジタル音声信号ＤＢに基づく再生音声信号ＳＢが得られ、それが、レベル調整部５３を経て、スピーカ５４に供給される。その結果、スピーカ５４から再生ディジタル音声信号ＤＢに基づく音声が発せられる。
【００６５】
さらに、このようなもとで、マイクロフォン５６からそれに対する音声入力に応じて得られる音声信号ＳＡが、レベル調整部５７を経て、Ａ／Ｄ変換部５８に供給されると、Ａ／Ｄ変換部５８から、音声信号ＳＡがディジタル化されて得られるディジタル音声信号ＤＨが送出される。そして、ディジタル音声信号ＤＨが連結部１３を通じて無線電話装置１１に供給される。
【００６６】
それにより、無線電話装置１１によるローカル無線局との通話がハンズフリー装置１２を通じて行われることになる。
【００６７】
同乗者検出部１４は、例えば、動作制御部６０を内蔵し、その動作制御部６０に、人体が輻射する赤外線に応答する赤外線センサー６１が接続されて構成される。そして、同乗者検出部１４の動作制御部６０に、ドア開閉検出部１５からの検出出力データＤＤが供給される。
【００６８】
赤外線センサー６１は、車両における運転席以外の座席に着座する運転者以外の同乗者から輻射される赤外線を検出すべく配され、検出出力信号ＤＩを送出する。同乗者検出部１４の動作制御部６０は、赤外線センサー６１からの検出出力信号ＤＩを取り込み、その検出出力信号ＤＩに基づいて、車両における運転者以外の同乗者の存在を判断して、その判断結果を次に赤外線センサー６１からの検出出力信号ＤＩを取り込むまで維持し、例えば、同乗者が存在しないとき“０”とされ、同乗者が存在するとき“１”とされる検出出力データＤＰを、ハンズフリー装置１２のハンズフリー制御部５０に供給する。即ち、同乗者検出部１４からの検出出力データＤＰは、ここでは、“０”であるとき、車両における運転者以外の同乗者の存在を検出しなかったことをあらわし、“１”であるとき、車両における運転者以外の同乗者の存在を検出したことをあらわすものとされるのである。
【００６９】
そして、同乗者検出部１４の動作制御部６０は、ドア開閉検出部１５からの検出出力データＤＤが、車両に設けられたドアが開閉されたこと、即ち、車両における人の乗降があった可能性のあることをあらわすものとなる都度、赤外線センサー６１からの検出出力信号ＤＩを取り込み、検出出力信号ＤＩに基づいての車両における運転者以外の同乗者の存在についての判断を更新する。
【００７０】
図３は、同乗者検出部１４の動作制御部６０が、車両における運転者以外の同乗者の存在の検出にあたって実行する制御プログラムの一例をあらわすフローチャートである。
【００７１】
図３に示されるフローチャートにあっては、スタート後、ステップ７１において、検出出力データＤＰを“０”に設定する。次に、ステップ７２において、赤外線センサー６１からの検出出力信号ＤＩを取り込み、続くステップ７３において、ステップ７２で取り込まれた検出出力信号ＤＩに基づいて、車両における運転者以外の同乗者が存在するか否かを判断する。その結果、同乗者が存在していれば、ステップ７４において、検出出力データＤＰが“１”か否かを判断し、検出出力データＤＰが“１”でなければ、ステップ７５において、検出出力データＤＰを“１”に設定してステップ７６に進み、検出出力データＤＰが“１”であれば、直接にステップ７６に進む。
【００７２】
一方、ステップ７３での判断の結果、同乗者が存在していなければ、ステップ７７において、検出出力データＤＰが“０”か否かを判断し、検出出力データＤＰが“０”でなければ、ステップ７８において、検出出力データＤＰを“０”に設定してステップ７６に進み、検出出力データＤＰが“０”であれば、直接にステップ７６に進む。
【００７３】
ステップ７６においては、ドア開閉検出部１５からの検出出力データＤＤに基づいて、車両に設けられたドアが開閉されたか否か、即ち、車両における人の乗降があったか否かを判断する。その結果、車両における人の乗降がなかった場合には、ステップ７６での判断を繰り返し、車両における人の乗降があった場合には、ステップ７２に戻り、ステップ７２以降の各ステップを繰り返す。
【００７４】
図４は、ハンズフリー装置１２のハンズフリー制御部５０が、無線電話装置１１がハンズフリー装置１２と共に使用されるべき状態、あるいは、無線電話装置１１が単独で使用されるもとで所定の通話応答態様がとられるべき状態を選定するにあたって実行する制御プログラムの一例をあらわすフローチャートである。
【００７５】
図４に示されるフローチャートにあっては、スタート後、ステップ８１において、無線電話装置１１からの着信状態をあらわす制御信号ＣＲが到来したか否かを判断する。その結果、着信状態をあらわす制御信号ＣＲが到来していない場合には、ステップ８１での判断を繰り返し、着信状態をあらわす制御信号ＣＲが到来したとき、ステップ８２において、同乗者検出部１４からの検出出力データＤＰが“１”であるか否かを判断する。
【００７６】
ステップ８２での判断の結果、同乗者検出部１４からの検出出力データＤＰが“１”でない場合には、ステップ８３において、無線電話装置１１がハンズフリー装置１２と共に使用されるべきことをあらわす制御信号ＤＣを、ハンズフリー状態コマンドとして送出し、ステップ８４に進む。一方、ステップ８２での判断の結果、同乗者検出部１４からの検出出力データＤＰが“１”である場合には、ステップ８５において、入力操作部５１に対する操作に基づく予めの設定に従って、無線電話装置１１がハンズフリー装置１２と共に使用されるべきこと、あるいは、無線電話装置１１が単独で使用されるもとで所定の通話応答態様、例えば、無線電話装置１１の音声出力部及び音声入力部を通じての通話がなされる通話応答態様，無線電話装置１１の留守番機能が発揮される通話応答態様、もしくは、無線電話装置１１のメッセージ応答機能が発揮される通話応答態様が選定されるべきことあらわす制御信号ＤＣを、設定応答状態コマンドとして送出し、ステップ８４に進む。
【００７７】
ステップ８４においては、無線電話装置１１による通話が終了したか否かを判断し、通話が終了していなければ、ステップ８４での判断を繰り返し、通話が終了したときには、ステップ８１に戻る。
【００７８】
上述の図１に示される本願の特許請求の範囲における請求項１から請求項６までのいずれかに記載された発明に係る車載送受話装置の一例にあっては、それに連結される無線電話装置が携帯電話機とされているが、無線電話装置は、携帯電話機に限られず、例えば、車両に設置される自動車電話機とされてもよい。また、同乗者検出部１４が赤外線センサー６１を用いて構成されたものとされているが、同乗者検出部１４は、赤外線センサーを用いて構成されたものに限られず、赤外線センサー以外の種々の人体検出手段を用いて構成されたものとされてもよいこと勿論である。
【００７９】
【発明の効果】
以上の説明から明らかな如く、本願の特許請求の範囲における請求項１から請求項６までのいずれかに記載された発明に係る車載送受話装置によれば、同乗者検出手段により車室内に運転者以外の同乗者が居ないことが検出されるもとで無線電話装置において着信状態がとられるときには、当該無線電話装置による通話を、車両に設けられた音声入力部及び音声出力部を通じて行われるハンズフリー状態がとられ、また、同乗者検出手段により車室内に運転者以外の同乗者が居ることが検出されるもとで無線電話装置において着信状態がとられるときには、入力操作部に対する操作に基づく予めの設定に応じた状態、例えば、ハンズフリー状態、あるいは、無線電話装置による通話が車両に設けられた音声入力部及び音声出力部を通じることなく行われる状態，無線電話装置における留守番機能が発揮される状態、もしくは、無線電話装置における着信に対する予め設定された応答がなされる状態がとられる。
【００８０】
斯かるもとにあっては、同乗者検出手段により検出される運転者以外の同乗者については、無線電話装置における着信状態がとられて開始される通話を聞かれて差し支えがないか否かを運転者が判断することが可能であるので、運転者が、同乗者があるもとで車両の運転を開始する前に、その同乗者に応じた操作を入力操作部に対して行うことにより、車両の運転開始後に無線電話装置における着信状態がとられたとき、入力操作部に対する操作に基づく予めの設定に従った同乗者に応じた状態、例えば、車両に設けられた音声入力部及び音声出力部を通じて行われるハンズフリー状態、あるいは、無線電話装置による通話が車両に設けられた音声入力部及び音声出力部を通じることなく行われる状態，無線電話装置における留守番機能が発揮される状態、もしくは、無線電話装置における着信に対する予め設定された応答がなされる状態が、運転者に課せられる負担の増大がまねかれることなく、自動的にとられることになる。
【図面の簡単な説明】
【図１】本願の特許請求の範囲における請求項１から請求項６までのいずれかに記載された発明に係る車載送受話装置の一例を、それに連結される無線電話装置と共に示すブロック接続図である。
【図２】図１に示される本願の特許請求の範囲における請求項１から請求項６までのいずれかに記載された発明に係る車載送受話装置の一例及び無線電話装置をより詳細に示すブロック接続図である。
【図３】図２に示される同乗者検出部の動作制御部が制御動作を行うにあたって実行する制御プログラムの一例をあらわすフローチャートである。
【図４】図２に示されるハンズフリー装置のハンズフリー制御部が制御動作を行うにあたって実行する制御プログラムの一例をあらわすフローチャートである。
【符号の説明】
１１・・・無線電話装置，  １２・・・ハンズフリー装置，  １３・・・連結部，  １４・・・同乗者検出部，  １５・・・ドア開閉検出部，  １６・・・アンテナ，  ２３・・・時分割多重処理部，  ２４・・・電話制御部，  ２５・・・符号化／復号化部，  ２６．２７，２８・・・スイッチ，  ５０・・・ハンズフリー制御部，  ５１・・・入力操作部，  ５２・・・Ｄ／Ａ変換部，  ５３，５７・・・レベル調整部，  ５４・・・スピーカ，  ５５・・・応答スイッチ，５６・・・マイクロフォン，  ５８・・・Ａ／Ｄ変換部，  ６０・・・動作制御部，  ６１・・・赤外線センサー
【図１】
2004350089.tif 000003
【図２】
2004350089.tif 000004
【図３】
2004350089.tif 000005
【図４】
2004350089.tif 000006